(57)【要約】【課題】逆梁と順梁とを備えた鉄筋コンクリート造建築物をＰＣａ化するのに適した、プレキャスト鉄筋コンクリート造建築物の構築方法を提供する。【解決手段】Ｘ方向の逆梁とＹ方向の順梁とを支持する両梁支持用ＰＣａ柱部材１２の柱頭に、Ｘ方向に延在させて設置するＰＣａ逆梁部材１６を接合する。Ｘ方向の順梁とＹ方向の順梁とを支持する順梁支持用ＰＣａ柱部材１４の柱頭に、Ｘ方向ＰＣａ順梁部材１８を接合する。Ｙ方向ＰＣａ順梁部材１０とＸ方向ＰＣａ順梁部材との接合部では、Ｙ方向ＰＣａ順梁部材の梁上端主筋及び梁下端主筋を、Ｘ方向ＰＣａ順梁部材の側面から突出させた梁上端主筋及び梁下端主筋に接合する。Ｙ方向ＰＣａ順梁部材とＰＣａ逆梁部材との接合部では、Ｙ方向ＰＣａ順梁部材の梁上端主筋及び梁下端主筋を、ＰＣａ逆梁部材の側面から突出させた梁上端主筋及び順梁支持用ＰＣａ柱部材の側面から突出させた梁下端主筋に接合する。【選択図】図１
2006265933.tif 000002
【特許請求の範囲】
【請求項１】
Ｘ方向に延在する逆梁と、Ｘ方向に延在する順梁と、Ｘ方向に対して直交するＹ方向に延在する順梁とを含んで成るプレキャスト鉄筋コンクリート造建築物の構築方法において、
Ｙ方向に延在させて設置するプレキャスト鉄筋コンクリート順梁部材（Ｙ方向ＰＣａ順梁部材）と、Ｘ方向に延在する逆梁とＹ方向に延在する順梁とを支持するプレキャスト鉄筋コンクリート柱部材（両梁支持用ＰＣａ柱部材）と、Ｘ方向に延在する順梁とＹ方向に延在する順梁とを支持するプレキャスト鉄筋コンクリート柱部材（順梁支持用ＰＣａ柱部材）と、Ｘ方向に延在させて設置するプレキャスト鉄筋コンクリート逆梁部材（ＰＣａ逆梁部材）と、Ｘ方向に延在させて設置するプレキャスト鉄筋コンクリート順梁部材（Ｘ方向ＰＣａ順梁部材）とを製作し、
前記両梁支持用ＰＣａ柱部材の柱頭に前記ＰＣａ逆梁部材を接合し、
前記順梁支持用ＰＣａ柱部材の柱頭に前記Ｘ方向ＰＣａ順梁部材を接合し、
前記Ｙ方向ＰＣａ順梁部材と前記Ｘ方向ＰＣａ順梁部材との接合部においては、前記Ｙ方向ＰＣａ順梁部材の先端からＹ方向へ突出させた梁上端主筋及び梁下端主筋を、前記Ｘ方向ＰＣａ順梁部材の側面からＹ方向へ突出させた梁上端主筋及び梁下端主筋に接合し、
前記Ｙ方向ＰＣａ順梁部材と前記ＰＣａ逆梁部材との接合部においては、前記Ｙ方向ＰＣａ順梁部材の先端からＹ方向へ突出させた梁上端主筋及び梁下端主筋を、前記ＰＣａ逆梁部材の側面からＹ方向へ突出させた梁上端主筋及び前記両梁支持用ＰＣａ柱部材の側面からＹ方向へ突出させた梁下端主筋に接合する、
ことを特徴とするプレキャスト鉄筋コンクリート造建築物の構築方法。
【請求項２】
前記両梁支持用ＰＣａ柱部材は、その柱頭から上方へ柱主筋の上端部を突出させ、
前記順梁支持用ＰＣａ柱部材は、その柱頭から上方へ柱主筋の上端部を突出させ、
前記ＰＣａ逆梁部材は、前記両梁支持用ＰＣａ柱部材の柱頭に接合する柱梁接合部と、この柱梁接合部のＸ方向の一方の側面または両方の側面からＸ方向へ延出する逆梁半体部とを一体化したプレキャスト鉄筋コンクリート部材（ＰＣａ部材）とし、該ＰＣａ逆梁部材の柱梁接合部に、前記両梁支持用ＰＣａ柱部材の柱頭から上方へ突出した柱主筋の上端部を挿通するための柱主筋挿通孔を形成し、
前記Ｘ方向ＰＣａ順梁部材は、前記順梁支持用ＰＣａ柱部材の柱頭に接合する柱梁接合部と、この柱梁接合部のＸ方向の一方の側面または両方の側面からＸ方向へ延出する順梁半体部とを一体化したＰＣａ部材とし、該Ｘ方向ＰＣａ順梁部材の柱梁接合部に、前記順梁支持用ＰＣａ柱部材の柱頭から上方へ突出した柱主筋の上端部を挿通するための柱主筋挿通孔を形成し、
前記両梁支持用ＰＣａ柱部材の柱頭から上方へ突出した柱主筋の上端部を前記ＰＣａ逆梁部材の柱主筋挿通孔に挿通して、前記両梁支持用ＰＣａ柱部材の柱頭に前記ＰＣａ逆梁部材を設置した上で、前記両梁支持用ＰＣａ柱部材と前記ＰＣａ逆梁部材とを接合して一体化し、
前記順梁支持用ＰＣａ柱部材の柱頭から上方へ突出した柱主筋の上端部を前記Ｘ方向ＰＣａ順梁部材の柱主筋挿通孔に挿通して、前記順梁支持用ＰＣａ柱部材の柱頭に前記Ｘ方向ＰＣａ順梁部材を設置した上で、前記順梁支持用ＰＣａ柱部材と前記Ｘ方向ＰＣａ順梁部材とを接合して一体化する、
ことを特徴とする請求項１記載のプレキャスト鉄筋コンクリート造建築物の構築方法。
【請求項３】
建築物の外周部にあってＸ方向に延在する逆梁と、建築物の外周部または内奥部にあってＸ方向に延在する順梁と、Ｘ方向に対して直交するＹ方向に延在する順梁とを含んで成るプレキャスト鉄筋コンクリート造建築物の構築方法において、
Ｙ方向に延在させて設置するプレキャスト鉄筋コンクリート順梁部材（Ｙ方向ＰＣａ順梁部材）を製作し、該Ｙ方向ＰＣａ順梁部材は、その両端から該Ｙ方向ＰＣａ順梁部材の延在方向であるＹ方向へ、梁上端主筋及び梁下端主筋の先端部を突出させ、
Ｘ方向に延在する逆梁とＹ方向に延在する順梁とを支持するプレキャスト鉄筋コンクリート柱部材（両梁支持用ＰＣａ柱部材）を製作し、該両梁支持用ＰＣａ柱部材は、その柱頭から上方へ柱主筋の上端部を突出させ、その柱頭のＹ方向の一方の側面からＹ方向へ、前記Ｙ方向ＰＣａ順梁部材の梁下端主筋を接合するための梁下端主筋を突出させ、
Ｘ方向に延在する順梁とＹ方向に延在する順梁とを支持するプレキャスト鉄筋コンクリート柱部材（順梁支持用ＰＣａ柱部材）を製作し、該順梁支持用ＰＣａ柱部材は、その柱頭から上方へ柱主筋の上端部を突出させ、
建築物の外周部にＸ方向に延在させて設置するプレキャスト鉄筋コンクリート逆梁部材（ＰＣａ逆梁部材）を製作し、該ＰＣａ逆梁部材は、前記両梁支持用ＰＣａ柱部材の柱頭に接合する柱梁接合部と、この柱梁接合部のＸ方向の一方の側面または両方の側面からＸ方向へ延出する逆梁半体部とを一体化したプレキャスト鉄筋コンクリート部材（ＰＣａ部材）とし、該ＰＣａ逆梁部材の逆梁半体部の先端からＸ方向へ、梁上端主筋及び梁下端主筋の先端部を突出させ、該ＰＣａ逆梁部材の柱梁接合部のＹ方向の一方の側面からＹ方向へ、前記Ｙ方向ＰＣａ順梁部材の梁上端主筋を接合するための梁上端主筋を突出させ、該ＰＣａ逆梁部材の柱梁接合部に、前記両梁支持用ＰＣａ柱部材の柱頭から上方へ突出した柱主筋の上端部を挿通するための柱主筋挿通孔を形成し、
建築物の外周部または内奥部にＸ方向に延在させて設置するプレキャスト鉄筋コンクリート順梁部材（Ｘ方向ＰＣａ順梁部材）を製作し、該Ｘ方向ＰＣａ順梁部材は、前記順梁支持用ＰＣａ柱部材の柱頭に接合する柱梁接合部と、この柱梁接合部のＸ方向の一方の側面または両方の側面からＸ方向へ延出する順梁半体部とを一体化したＰＣａ部材とし、該Ｘ方向ＰＣａ順梁部材の順梁半体部の先端からＸ方向へ、梁上端主筋及び梁下端主筋の先端部を突出させ、該Ｘ方向ＰＣａ順梁部材の柱梁接合部のＹ方向の一方の側面または両方の側面からＹ方向へ、前記Ｙ方向ＰＣａ順梁部材の梁上端主筋及び梁下端主筋を接合するための梁上端主筋及び梁下端主筋を突出させ、該Ｘ方向ＰＣａ順梁部材の柱梁接合部に、前記順梁支持用ＰＣａ柱部材の柱頭から上方へ突出した柱主筋の上端部を挿通するための柱主筋挿通孔を形成し、
現場において、前記両梁支持用ＰＣａ柱部材及び前記順梁支持用ＰＣａ柱部材を所定の位置に設置し、
前記両梁支持用ＰＣａ柱部材の柱頭から上方へ突出した柱主筋の上端部を前記ＰＣａ逆梁部材の柱主筋挿通孔に挿通して、前記両梁支持用ＰＣａ柱部材の柱頭に前記ＰＣａ逆梁部材を設置し、前記順梁支持用ＰＣａ柱部材の柱頭から上方へ突出した柱主筋の上端部を前記Ｘ方向ＰＣａ順梁部材の柱主筋挿通孔に挿通して、前記順梁支持用ＰＣａ柱部材の柱頭に前記Ｘ方向ＰＣａ順梁部材を設置し、
互いに対向する梁上端主筋どうしを接合し、互いに対向する梁下端主筋どうしを接合することにより、前記Ｙ方向ＰＣａ順梁部材、前記ＰＣａ逆梁部材、及び前記Ｘ方向ＰＣａ順梁部材の梁主筋を接合し、
前記両梁支持用ＰＣａ柱部材と前記ＰＣａ逆梁部材とを接合して一体化し、前記順梁支持用ＰＣａ柱部材と前記Ｘ方向ＰＣａ順梁部材とを接合して一体化し、前記両梁支持用ＰＣａ柱部材及び前記順梁支持用ＰＣａ柱部材の柱脚を設置部位に接合し、梁上端主筋どうし及び梁下端主筋どうしを接合した接合部に型枠を建込んでコンクリートを打設する、
ことを特徴とするプレキャスト鉄筋コンクリート造建築物の構築方法。
【請求項４】
前記両梁支持用ＰＣａ柱部材ないし前記順梁支持用ＰＣａ柱部材の柱頭の上面に、または、前記ＰＣａ逆梁部材ないし前記Ｘ方向ＰＣａ順梁部材の柱梁接合部の下面に、前記ＰＣａ逆梁部材ないし前記Ｘ方向ＰＣａ順梁部材を前記両梁支持用ＰＣａ柱部材ないし前記順梁支持用ＰＣａ柱部材の柱頭に載置したときに、前記両梁支持用ＰＣａ柱部材ないし前記順梁支持用ＰＣａ柱部材の柱頭の上面と前記ＰＣａ逆梁部材ないし前記Ｘ方向ＰＣａ順梁部材の柱梁接合部の下面との間に目地空間を確保するための突起を形成し、
前記ＰＣａ逆梁部材ないし前記Ｘ方向ＰＣａ順梁部材を前記両梁支持用ＰＣａ柱部材ないし前記順梁支持用ＰＣａ柱部材の柱頭に載置したことによって形成された目地空間の周囲をシール材で封止し、
前記目地空間内へ流動性を有する硬化性充填材を注入することによって、該硬化性充填材を、前記目地空間内に充填すると共に、前記目地空間に開口した前記柱主筋挿通孔の下端から該柱主筋挿通孔の中へ流入させ、該柱主筋挿通孔の内部を下方から上方へ流動させて、該柱主筋挿通孔の内部に充填し、
前記硬化性充填材が硬化することで、前記両梁支持用ＰＣａ柱部材ないし前記順梁支持用ＰＣａ柱部材の柱主筋が前記ＰＣａ逆梁部材ないし前記Ｘ方向ＰＣａ順梁部材の柱主筋挿通孔に固定接合され、もって、前記両梁支持用ＰＣａ柱部材と前記ＰＣａ逆梁部材とが接合されて一体化され、前記順梁支持用ＰＣａ柱部材と前記Ｘ方向ＰＣａ順梁部材とが接合されて一体化されるようにする、
ことを特徴とする請求項２又は３記載のプレキャスト鉄筋コンクリート造建築物の構築方法。
【請求項５】
前記ＰＣａ逆梁部材ないし前記Ｘ方向ＰＣａ順梁部材の柱梁接合部にシース管を埋設することによって前記柱主筋挿通孔を形成することを特徴とする請求項４記載のプレキャスト鉄筋コンクリート造建築物の構築方法。
【請求項６】
前記Ｙ方向ＰＣａ順梁部材の柱梁接合部ないし前記ＰＣａ逆梁部材の柱梁接合部を貫通して下端がその柱梁接合部の下面に開口した硬化性充填材注入孔を形成し、該硬化性充填材注入孔を介して前記硬化性充填材を前記目地空間内へ注入することを特徴とする請求項４記載のプレキャスト鉄筋コンクリート造建築物の構築方法。
【請求項７】
前記硬化性充填材としてセメントグラウトを使用し、グラウトポンプを用いてその注入を行うことを特徴とする請求項４記載のプレキャスト鉄筋コンクリート造建築物の構築方法。
【発明の詳細な説明】
【技術分野】
【０００１】
本発明は、プレキャスト鉄筋コンクリート造建築物の構築方法に関する。
【背景技術】
【０００２】
高層鉄筋コンクリート造建築物を、プレキャスト鉄筋コンクリート造建築物（以下の説明では、「プレキャスト鉄筋コンクリート」を「ＰＣａ」と表記する）とする場合には、建築物の骨組を構成する柱及び梁をＰＣａ化し、現場においてそれらＰＣａ柱部材及びＰＣａ梁部材を接合する。その接合のために、従来一般的に、柱梁接合部を現場施工していたが、それには、横補強筋の配筋、型枠建込み、スラブコンクリートとの分離打設と作業が錯綜するため、作業手間がかかり、施工精度の確保が難しかった。また、柱梁接合部は柱と同じく高強度のコンクリートが要求される。高強度コンクリートは、セメント量が多いため高粘度であり、現場での打設が容易でなく、そのため、高強度コンクリートを現場で打設した柱梁接合部は、躯体品質上の欠陥部位になりやすかった。また特に、ＰＣａ梁部材が、梁成の下端に床スラブが接合する逆梁である場合には、柱梁接合部にコンクリートを打設するための型枠が浮き型枠となるため、型枠の精度確保が難しくなり，上記の問題点がより生じやすくなっていた。
【０００３】
これらの短所を克服するために、柱梁接合部そのものをＰＣａ化して梁の一部または梁の半体部と一体化したＰＣａ柱梁接合部ブロックを製作し、それをＰＣａ柱部材の柱頭に接合するＰＣａ工法が提案されている。ＰＣａ柱梁接合部ブロックは、通常は、ＰＣａ梁部材の梁成と等しい高さ、または、略々等しい高さを有するブロックであって、その側面から側方へ梁の一部（短梁部）または梁の半体部が突出しており、その短梁部の端部にＰＣａ梁部材の端部を接合し、または、その梁の半体部に他のＰＣａ柱梁接合部ブロックに一体化されている梁の半体部の端部を接合するようにしたものである。この種のＰＣａ柱梁接合部ブロックの具体例と、それを用いた鉄筋コンクリート造建築物の構築方法とを開示した文献としては、特開平０８―００４１１０号公報や、特開２００１−１９３１５０号公報などがある。
【０００４】
このようなＰＣａ柱梁接合部ブロックを使用した接合方法によれば、柱梁接合部の現場施工に伴う上述した数々の短所を、略々克服することができる。
【特許文献１】特開平０８―００４１１０号公報
【特許文献２】特開２００１−１９３１５０号公報
【発明の開示】
【発明が解決しようとする課題】
【０００５】
しかしながら、構築しようとする鉄筋コンクリート造建築物が、その外周部の梁部材を逆梁としたものである場合には、従来のＰＣａ柱梁接合部ブロックを用いた方法では対応できない困難な問題が存在していた。それについて説明すると、外周部の梁部材を逆梁とした建築物であっても、内奥部の梁部材まで逆梁としていることは殆どなく、建築物の内奥部の梁部材は通常は順梁である。そのため、従来の方法に従うならば、建築物の外周部のＰＣａ柱部材に接合するＰＣａ柱梁接合部ブロックは、そのＰＣａ柱部材を、外周部の逆梁のＰＣａ梁部材と、それに直交する方向に延在する順梁のＰＣａ梁部材との両方に接合するブロックとなることから、三次元的に嵩張ったものとならざるを得ない。特に高層鉄筋コンクリート造建築物などのＰＣａ柱梁接合部ブロックでは、柱が太く、梁成が大きいことから、そのＰＣａ柱梁接合部ブロックの大きさはかなりのものとなる。そのため、工場で製作したＰＣａ柱梁接合部ブロックを、公道上を輸送して現場へ搬送することが著しく困難となり、或いは、その搬送のために甚だしい輸送コストがかかることになりかねない。ＰＣａ工法には、施工性度の向上、現場作業の省略化、躯体品質の向上、工期の短縮など、数多くの優れた点があるが、現場へのＰＣａ部材の輸送が不可能もしくは困難となれば、ＰＣａ工法の採用そのものを断念せざるを得ない。
【０００６】
本発明はかかる事情に鑑み成されたものであり、本発明の目的は、逆梁と順梁とを備えた鉄筋コンクリート造建築物をＰＣａ化するのに適した、プレキャスト鉄筋コンクリート造建築物の構築方法を提供することにあり、より具体的には、構築しようとする鉄筋コンクリート造建築物が逆梁と順梁とを備えたものである場合に、その建築物が例えば高層鉄筋コンクリート造建築物などのように柱が太く、梁成の大きなものであっても、公道上を輸送してＰＣａ部材を現場へ搬送することに何ら困難を生じることなく、ＰＣａ工法の優れた利点を存分に享受することのできる、プレキャスト鉄筋コンクリート造建築物の構築方法を提供することにある。
【課題を解決するための手段】
【０００７】
上記目的を達成するため、本発明に係るプレキャスト鉄筋コンクリート造建築物の構築方法は、Ｘ方向に延在する逆梁と、Ｘ方向に延在する順梁と、Ｘ方向に対して直交するＹ方向に延在する順梁とを含んで成るプレキャスト鉄筋コンクリート造建築物の構築方法において、Ｙ方向に延在させて設置するプレキャスト鉄筋コンクリート順梁部材（Ｙ方向ＰＣａ順梁部材）と、Ｘ方向に延在する逆梁とＹ方向に延在する順梁とを支持するプレキャスト鉄筋コンクリート柱部材（両梁支持用ＰＣａ柱部材）と、Ｘ方向に延在する順梁とＹ方向に延在する順梁とを支持するプレキャスト鉄筋コンクリート柱部材（順梁支持用ＰＣａ柱部材）と、Ｘ方向に延在させて設置するプレキャスト鉄筋コンクリート逆梁部材（ＰＣａ逆梁部材）と、Ｘ方向に延在させて設置するプレキャスト鉄筋コンクリート順梁部材（Ｘ方向ＰＣａ順梁部材）とを製作し、前記両梁支持用ＰＣａ柱部材の柱頭に前記ＰＣａ逆梁部材を接合し、前記順梁支持用ＰＣａ柱部材の柱頭に前記Ｘ方向ＰＣａ順梁部材を接合し、前記Ｙ方向ＰＣａ順梁部材と前記Ｘ方向ＰＣａ順梁部材との接合部においては、前記Ｙ方向ＰＣａ順梁部材の先端からＹ方向へ突出させた梁上端主筋及び梁下端主筋を、前記Ｘ方向ＰＣａ順梁部材の側面からＹ方向へ突出させた梁上端主筋及び梁下端主筋に接合し、前記Ｙ方向ＰＣａ順梁部材と前記ＰＣａ逆梁部材との接合部においては、前記Ｙ方向ＰＣａ順梁部材の先端からＹ方向へ突出させた梁上端主筋及び梁下端主筋を、前記ＰＣａ逆梁部材の側面からＹ方向へ突出させた梁上端主筋及び前記両梁支持用ＰＣａ柱部材の側面からＹ方向へ突出させた梁下端主筋に接合することを特徴とする。
【０００８】
また、本発明に係るプレキャスト鉄筋コンクリート造建築物の構築方法は、建築物の外周部にあってＸ方向に延在する逆梁と、建築物の外周部または内奥部にあってＸ方向に延在する順梁と、Ｘ方向に対して直交するＹ方向に延在する順梁とを含んで成るプレキャスト鉄筋コンクリート造建築物の構築方法において，Ｙ方向に延在させて設置するプレキャスト鉄筋コンクリート順梁部材（Ｙ方向ＰＣａ順梁部材）を製作し、該Ｙ方向ＰＣａ順梁部材は、その両端から該Ｙ方向ＰＣａ順梁部材の延在方向であるＹ方向へ、梁上端主筋及び梁下端主筋の先端部を突出させたものとし、Ｘ方向に延在する逆梁とＹ方向に延在する順梁とを支持するプレキャスト鉄筋コンクリート柱部材（両梁支持用ＰＣａ柱部材）を製作し、該両梁支持用ＰＣａ柱部材は、その柱頭から上方へ柱主筋の上端部を突出させ、その柱頭のＹ方向の一方の側面からＹ方向へ、前記Ｙ方向ＰＣａ順梁部材の梁下端主筋を接合するための梁下端主筋を突出させたものとし、Ｘ方向に延在する順梁とＹ方向に延在する順梁とを支持するプレキャスト鉄筋コンクリート柱部材（順梁支持用ＰＣａ柱部材）を製作し、該順梁支持用ＰＣａ柱部材は、その柱頭から上方へ柱主筋の上端部を突出させたものとし、建築物の外周部にＸ方向に延在させて設置するプレキャスト鉄筋コンクリート逆梁部材（ＰＣａ逆梁部材）を製作し、該ＰＣａ逆梁部材は、前記両梁支持用ＰＣａ柱部材の柱頭に接合する柱梁接合部と、この柱梁接合部のＸ方向の一方の側面または両方の側面からＸ方向へ延出する逆梁半体部とを一体化したプレキャスト鉄筋コンクリート部材（ＰＣａ部材）とし、該ＰＣａ逆梁部材の逆梁半体部の先端からＸ方向へ、梁上端主筋及び梁下端主筋の先端部を突出させ、該ＰＣａ逆梁部材の柱梁接合部のＹ方向の一方の側面からＹ方向へ、前記Ｙ方向ＰＣａ順梁部材の梁上端主筋を接合するための梁上端主筋を突出させ、該ＰＣａ逆梁部材の柱梁接合部に、前記両梁支持用ＰＣａ柱部材の柱頭から上方へ突出した柱主筋の上端部を挿通するための柱主筋挿通孔を形成したものとし、建築物の外周部または内奥部にＸ方向に延在させて設置するプレキャスト鉄筋コンクリート順梁部材（Ｘ方向ＰＣａ順梁部材）を製作し、該Ｘ方向ＰＣａ順梁部材は、前記順梁支持用ＰＣａ柱部材の柱頭に接合する柱梁接合部と、この柱梁接合部のＸ方向の一方の側面または両方の側面からＸ方向へ延出する順梁半体部とを一体化したＰＣａ部材とし、該Ｘ方向ＰＣａ順梁部材の順梁半体部の先端からＸ方向へ、梁上端主筋及び梁下端主筋の先端部を突出させ、該Ｘ方向ＰＣａ順梁部材の柱梁接合部のＹ方向の一方の側面または両方の側面からＹ方向へ、前記Ｙ方向ＰＣａ順梁部材の梁上端主筋及び梁下端主筋を接合するための梁上端主筋及び梁下端主筋を突出させ、該Ｘ方向ＰＣａ順梁部材の柱梁接合部に、前記順梁支持用ＰＣａ柱部材の柱頭から上方へ突出した柱主筋の上端部を挿通するための柱主筋挿通孔を形成したものとし、現場において、前記両梁支持用ＰＣａ柱部材及び前記順梁支持用ＰＣａ柱部材を所定の位置に設置し、前記両梁支持用ＰＣａ柱部材の柱頭から上方へ突出した柱主筋の上端部を前記ＰＣａ逆梁部材の柱主筋挿通孔に挿通して、前記両梁支持用ＰＣａ柱部材の柱頭に前記ＰＣａ逆梁部材を設置し、前記順梁支持用ＰＣａ柱部材の柱頭から上方へ突出した柱主筋の上端部を前記Ｘ方向ＰＣａ順梁部材の柱主筋挿通孔に挿通して、前記順梁支持用ＰＣａ柱部材の柱頭に前記Ｘ方向ＰＣａ順梁部材を設置し、互いに対向する梁上端主筋どうしを接合し、互いに対向する梁下端主筋どうしを接合することにより、前記Ｙ方向ＰＣａ順梁部材、前記ＰＣａ逆梁部材、及び前記Ｘ方向ＰＣａ順梁部材の梁主筋を接合し、前記両梁支持用ＰＣａ柱部材と前記ＰＣａ逆梁部材とを接合して一体化し、前記順梁支持用ＰＣａ柱部材と前記Ｘ方向ＰＣａ順梁部材とを接合して一体化し、前記両梁支持用ＰＣａ柱部材及び前記順梁支持用ＰＣａ柱部材の柱脚を設置部位に接合し、梁上端主筋どうし及び梁下端主筋どうしを接合した接合部に型枠を建込んでコンクリートを打設することを特徴とする。
【発明の効果】
【０００９】
本発明に係る接合方法によれば、使用するＰＣａ部材を、三次元的に嵩張ることのない単に細長いだけの部材とすることができるため、構築しようとする鉄筋コンクリート造建築物が逆梁と順梁とを備えたものである場合に、その建築物が例えば高層鉄筋コンクリート造建築物などのように柱が太く、梁成の大きいものであっても、公道上を輸送してＰＣａ部材を現場へ搬送することに何ら困難を生じることなく、ＰＣａ工法の優れた利点を存分に享受することが可能である。従って、逆梁と順梁とを備えた鉄筋コンクリート造建築物をＰＣａ化するのに適した、プレキャスト鉄筋コンクリート造建築物の構築方法が得られる。
【発明を実施するための最良の形態】
【００１０】
以下に本発明の実施の形態について添付図面を参照しつつ詳細に説明して行く。本発明に係る構築方法により構築する建築物は、Ｘ方向に延在する逆梁と、Ｘ方向に延在する順梁と、Ｘ方向に対して直交するＹ方向に延在する順梁とを含んで成るプレキャスト鉄筋コンクリート造建築物であり、また特に、図示例は、建築物の外周部にあってＸ方向に延在する逆梁と、建築物の外周部または内奥部にあってＸ方向に延在する順梁と、Ｘ方向に対して直交するＹ方向に延在する順梁とを含んで成るプレキャスト鉄筋コンクリート造建築物である。この建築物は、その骨組が複数種類のＰＣａ部材で構成され、それらＰＣａ部材は、少なくとも、２種類のＰＣａ柱部材と３種類のＰＣａ梁部材とを含むものである。図１は、それらＰＣａ部材を、建方が完了したときのそれらの相対位置をもって示した、Ｘ方向から見た立面図であり、同図の左右方向がＹ方向である。図１に示したＰＣａ部材は、Ｙ方向ＰＣａ順梁部材１０、両梁支持用ＰＣａ柱部材１２、順梁支持用ＰＣａ柱部材１４、ＰＣａ逆梁部材１６、及びＸ方向ＰＣａ順梁部材１８であり、これらのＰＣａ部材は、以下のような部材として製作する。
【００１１】
Ｙ方向ＰＣａ順梁部材１０は、Ｙ方向に延在させて設置するプレキャスト鉄筋コンクリート順梁部材であり、建築物のＹ方向に延在する順梁を構成する部材である。図１に示したように、Ｙ方向ＰＣａ順梁部材１０は、その両端から、このＹ方向ＰＣａ順梁部材の延在方向であるＹ方向へ、梁上端主筋２２ａ及び梁下端主筋２２ｂの先端部を突出させてある。Ｙ方向ＰＣａ順梁部材１０は順梁を構成するものであることから、その上端に床スラブが接合される。そのため、Ｙ方向ＰＣａ順梁部材１０の上端部分は、横補強筋２４のうちの床スラブ厚さ相当分が、梁上端主筋２２ａと共に露出しており、この上端部分のコンクリートは、床スラブのコンクリートを打設する際に同時に打設される。
【００１２】
両梁支持用ＰＣａ柱部材１２は、Ｘ方向に延在する逆梁とＹ方向に延在する順梁とを支持するプレキャスト鉄筋コンクリート柱部材である。図２に斜視図で示したように、両梁支持用ＰＣａ柱部材１２は、その柱頭から上方へ柱主筋２６の上端部を突出させ、その柱頭のＹ方向の一方の側面からＹ方向へ、Ｙ方向ＰＣａ順梁部材１０の梁下端主筋２２ｂを接合するための梁下端主筋２８を突出させてある。また、両梁支持用ＰＣａ柱部材１２の柱脚には、この両梁支持用ＰＣａ柱部材１２を設置部位に接合するためのスリーブ式機械継手３０が埋設されている。
【００１３】
順梁支持用ＰＣａ柱部材１４は、Ｘ方向に延在する順梁とＹ方向に延在する順梁とを支持するプレキャスト鉄筋コンクリート柱部材である。図３に斜視図で示したように、順梁支持用ＰＣａ柱部材１４は、その柱頭から上方へ柱主筋３２の上端部を突出させたＰＣａ柱部材として製作されている。両梁支持用ＰＣａ柱部材１２と同様に、順梁支持用ＰＣａ柱部材１４の柱脚にも、この順梁支持用ＰＣａ柱部材１４を設置部位に接合するためのスリーブ式機械継手３４が埋設されている。
【００１４】
ＰＣａ逆梁部材１６は、建築物の外周部にＸ方向に延在させて設置するプレキャスト鉄筋コンクリート逆梁部材であり、建築物のＸ方向に延在する逆梁を構成する部材である。図２に斜視図で示したように、ＰＣａ逆梁部材１６は、両梁支持用ＰＣａ柱部材１２の柱頭に接合する柱梁接合部３６と、この柱梁接合部３６のＸ方向の一方の側面または両方の側面からＸ方向へ延出する逆梁半体部３８とを一体化したＰＣａ部材として製作される。逆梁半体部３８は、隣り合う２本の両梁支持用ＰＣａ柱部材１２の間に横架される１スパン分の逆梁を、そのスパン中央付近で２つに分割した片割れである（図６参照）。それゆえ、建築物のＸ方向の端に設置するＰＣａ逆梁部材１６は、その柱梁接合部３６のＸ方向の一方の側面から延出する１本だけの逆梁半体部３８を備えたものとし、建築物のＸ方向の端以外の箇所に設置するＰＣａ逆梁部材１６は、図２に示したように、その柱梁接合部３６のＸ方向の両方の側面からＸ方向の両側へ延出する２本の逆梁半体部３８を備えたものとする。
【００１５】
ＰＣａ逆梁部材１６は、その逆梁半体部３８の先端からＸ方向へ、梁上端主筋４２ａ及び梁下端主筋４２ｂの先端部を突出させてあり、また、その柱梁接合部３６のＹ方向の一方の側面からＹ方向へ、Ｙ方向ＰＣａ順梁部材１０の梁上端主筋２２ａを接合するための梁上端主筋４４を突出させてある。更に、ＰＣａ逆梁部材１６は逆梁を構成するものであることから、その下端に床スラブが接合される。そのため、ＰＣａ逆梁部材１６のＹ方向の一方の側面（梁上端筋４４が延出している側の側面）に、スラブ筋接合金物４６を埋設し、また、その側面からＹ方向へスラブ筋４８を突出させてある。
【００１６】
更に、ＰＣａ逆梁部材１６の柱梁接合部３６には、両梁支持用ＰＣａ柱部材１２の柱頭から上方へ突出した柱主筋２６の上端部を挿通するための柱主筋挿通孔５０と、硬化性充填材注入孔であるグラウト注入孔５２とが貫通形成されていると共に、柱梁接合部３６の下面の中央に突起５３（図４参照）が形成されており、これらについては後に詳述する。
【００１７】
Ｘ方向ＰＣａ順梁部材１８は、建築物の外周部または内奥部にＸ方向に延在させて設置するプレキャスト鉄筋コンクリート順梁部材であり、建築物のＸ方向に延在する順梁を構成する部材である。図３に斜視図で示したように、Ｘ方向ＰＣａ順梁部材１８は、順梁支持用ＰＣａ柱部材１４の柱頭に接合する柱梁接合部５４と、この柱梁接合部５４のＸ方向の一方の側面または両方の側面からＸ方向へ延出する順梁半体部５６とを一体化したＰＣａ部材として製作される。順梁半体部５６は、隣り合う２本の順梁支持用ＰＣａ柱部材１４の間に横架される１スパン分の順梁を、そのスパン中央付近で２つに分割した片割れである。それゆえ、建築物のＸ方向の端に設置するＸ方向ＰＣａ順梁部材１８は、その柱梁接合部５４のＸ方向の一方の側面から延出する１本だけの順梁半体部５６を備えたものとし、建築物のＸ方向の端以外の箇所に設置するＰＣａ逆梁部材１８は、図３に示したように、その柱梁接合部５４のＸ方向の両方の側面からＸ方向の両側へ延出する２本の順梁半体部５６を備えたものとする。
【００１８】
Ｘ方向ＰＣａ順梁部材１８は、その順梁半体部５６の先端からＸ方向へ、梁上端主筋６０ａ及び梁下端主筋６０ｂの先端部を突出させてある。また、Ｘ方向ＰＣａ順梁部材１８は、その柱梁接合部５４のＹ方向の一方の側面または両方の側面からＹ方向へ、Ｙ方向ＰＣａ順梁部材１０の梁上端主筋２２ａ及び梁下端主筋２２ｂを接合するための梁上端主筋６２ａ及び梁下端主筋６２ｂを突出させておく。Ｙ方向の一方の側面だけからそれら梁主筋６２ａ、６２ｂを突出させるのは、そのＸ方向ＰＣａ順梁部材１８をＹ方向の端に配設する場合であり、そうでない場合には、図３に示したように、Ｙ方向の両方の側面からそれら梁主筋６２ａ、６２ｂを突出させておく。Ｘ方向ＰＣａ順梁部材１８は順梁を構成するものであることから、その上端に床スラブが接合される。そのため、Ｘ方向ＰＣａ順梁部材１８の上端部分は、横補強筋６４のうちの床スラブ厚さ相当分が、梁上端主筋６２ａと共に露出しており、この上端部分のコンクリートは、床スラブのコンクリートを打設する際に同時に打設される。
【００１９】
更に、Ｘ方向ＰＣａ順梁部材１８の柱梁接合部５４には、順梁支持用ＰＣａ柱部材１４の柱頭から上方へ突出した柱主筋３２の上端部を挿通するための柱主筋挿通孔６６と、硬化性充填材注入孔であるグラウト注入孔６８とが貫通形成されていると共に、柱梁接合部５４の下面の中央に突起（不図示）が形成されている。それらは、ＰＣａ逆梁部材１６の柱主筋挿通孔３６に形成されている柱主筋挿通孔５０、グラウト注入孔５２、及び突起５３と同一構造、同一機能のものであり、以下の柱主筋挿通孔５０、グラウト注入孔５２、及び突起５３についての説明は、それらにも当てはまるものである。
【００２０】
図４は、両梁支持用ＰＣａ柱部材１２の柱頭と、この柱頭に載置されたＰＣａ逆梁部材１６とを示した断面側面図であり、図５は、図４と同じ断面側面図であるが、ただし、接合のために硬化性充填材を注入しているときの状態を示した図である。これらの図に示したように、両梁支持用ＰＣａ柱部材１２の柱頭から上方へ突出させた柱主筋２６の上方突出長さは、ＰＣａ逆梁部材１６の柱梁接合部３６の高さより大きくして、ＰＣａ逆梁部材１６を両梁支持用ＰＣａ柱部材１２の柱頭に載置したときに、柱主筋２６の上端部の先端が、ＰＣａ逆梁部材１６の柱梁接合部３６の上面から上方へ突出するようにしてある。このようにしたのは、両梁支持用ＰＣａ柱部材１２の柱頭にＰＣａ逆梁部材１６を接合した後に、その両梁支持用ＰＣａ柱部材１２の柱梁接合部３６の上面から上方へ突出した柱主筋２６の上端部と、更に上階に設けるＰＣａ柱部材の柱主筋の下端部とを接合するためである。従って、更に上階にＰＣａ柱部材を設けるのでない場合には、柱主筋２６の上端部の先端をＰＣａ柱梁接合部ブロック１４の上面から上方へ突出させる必要はない。
【００２１】
ＰＣａ逆梁部材１６の柱梁接合部３６の下面に形成した突起５３は、ＰＣａ逆梁部材１６を両梁支持用ＰＣａ柱部材１２の柱頭に載置したときに、両梁支持用ＰＣａ柱部材１２の柱頭の上面と、ＰＣａ逆梁部材１６の柱梁接合部３６の下面との間に、目地空間７０を確保するための突起である。同様に、Ｘ方向ＰＣａ順梁部材１８の柱梁接合部５４の下面に形成した前述の突起（不図示）は、Ｘ方向ＰＣａ順梁部材１８を順梁支持用ＰＣａ柱部材１４の柱頭に載置したときに、順梁支持用ＰＣａ柱部材１４の柱頭の上面と、Ｘ方向ＰＣａ順梁部材１８の柱梁接合部５４の下面との間に、同様の目地空間を確保するための突起である。図４に示した突起５３は、扁平な角錐台形状の突起（凸型コッター）であり、ＰＣａ逆梁部材１６の柱梁接合部３６の下面の中央に形成されている。目地空間を確保するための突起は、これ以外の形状のものとしてもよく、形成する個数を２個以上としてもよく、更に、ＰＣａ逆梁部材１６ないしＸ方向ＰＣａ順梁部材１８の柱梁接合部の下面に形成する替わりに、それらの面に対向する、両梁支持用ＰＣａ柱部材１２ないし順梁支持用ＰＣａ柱部材１４の柱頭の上面に形成するようにしてもよい。
【００２２】
図４及び図５に示した具体例では、ＰＣａ逆梁部材１６の柱梁接合部３６の複数の柱主筋挿通孔５０は、ＰＣａ逆梁部材１６を製作する際に、その柱梁接合部３６を鉛直方向に貫通する複数のシース管７２を埋設することによって形成したものである。即ち、シース管７２の内周面によって、柱主筋挿通孔５０の内周面が画成されている。シース管７２としては公知の様々なものを使用することができるが、ＰＣａ逆梁部材１６のコンクリートに対する定着力と、後述する硬化性充填材に対する定着力とを大きなものとするために、例えば螺旋状のリブを備えたスパイラルシース管などの、異形シース管を用いることが望ましい。柱主筋挿通孔５０の上端部分は拡径部として形成されており、シース管７２の上端はこの拡径部の下端まで延在している。この拡径部を設けた目的については後に説明する。
【００２３】
硬化性充填材注入孔（グラウト注入孔）５２は、ＰＣａ逆梁部材１６の柱梁接合部３６を貫通して延在し、上端及び下端が柱主筋挿通孔３６の上面と下面とに開口している。そのため、両梁支持用ＰＣａ柱部材１２の柱頭にＰＣａ逆梁部材１６が載置されて、上述した目地空間７０が画成されたときには、硬化性充填材注入孔５２の下端は、その目地空間７０に開口したものとなる。硬化性充填材注入孔２８は、後に説明するように、硬化性充填材を、この目地空間７０内へ注入するために用いられる注入孔である。
【００２４】
両梁支持用ＰＣａ柱部材１２の柱頭から上方へ突出した柱主筋２６の上端部をＰＣａ逆梁部材１６の柱主筋挿通孔５０に挿通して、両梁支持用ＰＣａ柱部材１２の柱頭にＰＣａ逆梁部材１６を設置することにより、図４に示したように目地空間７０が形成されたならば、続いて、図５に示したように、目地空間７０の周囲をシール材７３で封止する。このシール材７３としては、例えば固練りモルタルなどを使用するとよく、その他の適宜のシール材を使用することも可能である。
【００２５】
続いて、硬化性充填材注入孔５２を介して目地空間７０内へ、流動性を有する硬化性充填材を注入することにより、その硬化性充填材を、目地空間７０内に充填すると共に、目地空間７０に開口した複数の柱主筋挿通孔５０の夫々の下端から、それら複数の柱主筋挿通孔５０の中へ流入させ、それら柱主筋挿通孔５０の内部を下方から上方へ流動させて、それら柱主筋挿通孔５０の内部に充填する。この後、充填された硬化性充填材が硬化することで、複数の柱主筋２６が夫々の柱主筋挿通孔５０に固定接合され、もって、両梁支持用ＰＣａ柱部材１２とＰＣａ逆梁部材１６とが一体化されて接合される。
【００２６】
流動性を有する硬化性充填材としては、種々のものを使用することができるが、特に好適な具体例はセメントグラウトである。注入孔５２の上端からセメントグラウトを注入するには、例えば、スクイーズポンプなどのグラウトポンプを使用し、そのグラウトポンプの吐出口と注入孔５２の上端とを、塩化ビニル管や耐圧ホースなどで接続するとよい。
【００２７】
また、グラウトポンプを用いて、セメントグラウトを複数の柱主筋挿通孔５０に連続的に充填して行くと、図５に示したように、注入孔５２に近い柱主筋挿通孔５０ほど、充填されるセメントグラウトの上昇が速く、そのセメントグラウトの天端が高くなる傾向が現れる。それゆえ、セメントグラウトを目地空間７０内へ注入する際には、注入と注入停止とを反復することによって、柱主筋挿通孔５０どうしの間で、充填されるセメントグラウトの天端の高さに大きな差が発生しないようにするのがよい。更に、セメントグラウトがどの柱主筋挿通孔５０の上端にも達しないうちに、目地空間７０への注入を終了させて、複数の柱主筋挿通孔５０の上端近傍に非充填部を余裕として残し、それら非充填部を、各々の柱主筋挿通孔５０の上端から注入するセメントグラウトをもって充填するようにするのがよい。前述した柱主筋挿通孔５０の上端部分に設けた拡径部は、ジョッキ等を用いて柱主筋挿通孔１６の上部からセメントグラウトを充填する際の便を図ったものである。
【００２８】
以上に説明した両梁支持用ＰＣａ柱部材１２とＰＣａ逆梁部材１６とを一体化して接合する方法は、順梁支持用ＰＣａ柱部材１４とＸ方向ＰＣａ順梁部材１８とを一体化して接合するためにも用いられる。即ち、順梁支持用ＰＣａ柱部材１４の柱頭から上方へ突出した柱主筋３２の上端部をＸ方向ＰＣａ順梁部材１８の柱主筋挿通孔６６に挿通して、順梁支持用ＰＣａ柱部材１４の柱頭にＸ方向ＰＣａ順梁部材１８を設置した上で、それによって形成された目地空間の周囲をシール材で封止し、注入孔６８を介して硬化性充填材を注入するようにすればよい。
【００２９】
次に、現場における建方について、図６を参照して説明する。図６は、２本の両梁支持用ＰＣａ柱部材１２と、２本のＰＣａ逆梁部材１６とを、建方が完了したときのそれらの相対位置をもって示した、Ｙ方向から見た立面図であり、図の左右方向がＸ方向である。建方を行うには、先ず、フーチングないし下階のＰＣａ柱部材の上部から上方へ突出している柱主筋７４を、両梁支持用ＰＣａ柱部材１２の柱脚に埋設されているスリーブ式機械継手３０に挿入し、両梁支持用ＰＣａ柱部材１２を所定位置に設置する。また、図６には示していないが、順梁支持用ＰＣａ柱部材１４も同様にして所定の位置に設置する。その後、当該階の床スラブの後打ちコンクリートを打設する。この時点では、当該階の床スラブ位置まで完成し、その床スラブ上に当該階の両梁支持用ＰＣａ柱部材１２及び順梁支持用ＰＣａ柱部材１４が林立した状態にある。
【００３０】
その後、上階の床スラブを支持するためのＰＣａ逆梁部材１６を、Ｘ方向に延在させるようにして、また、上で説明したように両梁支持用ＰＣａ柱部材１２の柱頭から上方へ突出した柱主筋２６の上端部をＰＣａ逆梁部材１６の柱主筋挿通孔５０に挿通して、夫々の両梁支持用ＰＣａ柱部材１２の柱頭に設置する。以上が完了した時点を示したのが、図６である。また、図６には示していないが、上階の床スラブを支持するためのＸ方向ＰＣａ順梁部材１８も同様にして設置する。即ち、Ｘ方向ＰＣａ順梁部材１８を、Ｘ方向に延在させるようにして、また、順梁支持用ＰＣａ柱部材１４の柱頭から上方へ突出した柱主筋３２の上端部をＸ方向ＰＣａ順梁部材１８の柱主筋挿通孔６６に挿通して、夫々の順梁支持用ＰＣａ柱部材１４の柱頭に設置する。
【００３１】
続いて、以上のようにして列設した複数のＰＣａ逆梁部材１６の互いに対向する梁上端主筋４２ａどうしを接合し、互いに対向する梁下端主筋４２ｂどうしを接合することによって、Ｘ方向に延在する逆梁の梁主筋を連続させる。また、同様に、列設した複数のＸ方向ＰＣａ順梁部材１８の互いに対向する柱上端主筋６０ａどうしを接合し、互いに対向する梁下端主筋６０ｂどうしを接合することによって、Ｘ方向に延在する順梁の梁主筋を連続させる。
【００３２】
更に、複数のＹ方向ＰＣａ順梁部材１０を夫々の所定の位置に横架する。このとき、図１に示したように、Ｙ方向ＰＣａ順梁部材１０とＸ方向ＰＣａ順梁部材１８との接合部においては、Ｙ方向ＰＣａ順梁部材１０の先端からＹ方向へ突出させた梁上端主筋２２ａ及び梁下端主筋２２ｂを、Ｘ方向ＰＣａ順梁部材１８の側面からＹ方向へ突出させた梁上端主筋６２ａ及び梁下端主筋６２ｂに接合し、一方、Ｙ方向ＰＣａ順梁部材１０とＰＣａ逆梁部材１６との接合部においては、Ｙ方向ＰＣａ順梁部材１０の先端からＹ方向へ突出させた梁上端主筋６２ａ及び梁下端主筋６２ｂを、ＰＣａ逆梁部材１６の側面からＹ方向へ突出させた梁上端主筋４４及び両梁支持用ＰＣａ柱部材１２の側面からＹ方向へ突出させた梁下端主筋２８に接合する。
【００３３】
以上によって、Ｙ方向ＰＣａ順梁部材１０、ＰＣａ逆梁部材１６、及びＸ方向ＰＣａ順梁部材１８の梁主筋どうしを互いに接合したならば、続いて、それら梁部材１０、１６、１８に、ハーフＰＣａ床スラブを仮設して、床スラブの配筋を行う。次に、先に図４及び図５を参照して説明した接合方法に従って、両梁支持用ＰＣａ柱部材１２とＰＣａ逆梁部材１６とを接合して一体化し、また、順梁支持用ＰＣａ柱部材１４とＸ方向ＰＣａ順梁部材１８とを接合して一体化する。更に、両梁支持用ＰＣａ柱部材１２の柱脚に埋設されているスリーブ式機械継手３０と、順梁支持用ＰＣａ柱部材１４の柱脚に埋設されているスリーブ式機械継手３４とにグラウトを充填することで、それら柱部材１２、１４の柱脚を設置部位に接合して固定する。その後、梁上端主筋どうし及び梁下端主筋どうしを接合した接合部に型枠を建込んでコンクリートを打設する。
【００３４】
以上説明したように、本発明に係るプレキャスト鉄筋コンクリート造建築物の構築方法は、Ｘ方向に延在する逆梁と、Ｘ方向に延在する順梁と、Ｘ方向に対して直交するＹ方向に延在する順梁とを含んで成るプレキャスト鉄筋コンクリート造建築物を構築する方法であって、この構築方法においては、Ｙ方向に延在させて設置するＰＣａ順梁部材であるＹ方向ＰＣａ順梁部材と、Ｘ方向に延在する逆梁とＹ方向に延在する順梁とを支持する両梁支持用ＰＣａ柱部材と、Ｘ方向に延在する順梁とＹ方向に延在する順梁とを支持する順梁支持用ＰＣａ柱部材と、Ｘ方向に延在させて設置するＰＣａ逆梁部材であるＰＣａ逆梁部材と、Ｘ方向に延在させて設置する順梁部材であるＸ方向ＰＣａ順梁部材とを製作する。そして、両梁支持用ＰＣａ柱部材の柱頭にＰＣａ逆梁部材を接合し、順梁支持用ＰＣａ柱部材の柱頭にＸ方向ＰＣａ順梁部材を接合する。また、Ｙ方向ＰＣａ順梁部材とＸ方向ＰＣａ順梁部材との接合部においては、Ｙ方向ＰＣａ順梁部材の先端からＹ方向へ突出させた梁上端主筋及び梁下端主筋を、Ｘ方向ＰＣａ順梁部材の側面からＹ方向へ突出させた梁上端主筋及び梁下端主筋に接合し、Ｙ方向ＰＣａ順梁部材とＰＣａ逆梁部材との接合部においては、Ｙ方向ＰＣａ順梁部材の先端からＹ方向へ突出させた梁上端主筋及び梁下端主筋を、ＰＣａ逆梁部材の側面からＹ方向へ突出させた梁上端主筋及び両梁支持用ＰＣａ柱部材の側面からＹ方向へ突出させた梁下端主筋に接合する。そのため、使用するＰＣａ部材を、三次元的に嵩張ることのない単に細長いだけの部材とすることができるため、構築しようとする鉄筋コンクリート造建築物が逆梁と順梁とを備えたものである場合に、その建築物が例えば高層鉄筋コンクリート造建築物などのように柱が太く、梁成の大きいものであっても、公道上を輸送してＰＣａ部材を現場へ搬送することに何ら困難を生じることなく、施工性度の向上、現場作業の省略化、躯体品質の向上、工期の短縮などをはじめとするＰＣａ工法の優れた利点を存分に享受することができる。
【００３５】
また、本発明によれば、横補強筋の配筋精度や柱梁接合部の寸法精度を高精度とすることができると共に、高強度コンクリートを密実に充填することができるため、高品質な躯体を構築することができる。更には、柱梁接合部と梁半体部とを一体化してＰＣａ化した直線状のＰＣａ部材は製作が簡単で、建方においても施工精度の確保が容易となる。
【図面の簡単な説明】
【００３６】
【図１】本発明の実施の形態に係るプレキャスト鉄筋コンクリート造建築物の構築方法において使用する、Ｙ方向ＰＣａ順梁部材、両梁支持用ＰＣａ柱部材、順梁支持用ＰＣａ柱部材、ＰＣａ逆梁部材、及びＸ方向ＰＣａ順梁部材を、建方が完了したときのそれらの相対位置をもって示した、Ｘ方向から見た立面図である。
【図２】両梁支持用ＰＣａ柱部材及びＰＣａ逆梁部材を示した斜視図である。
【図３】順梁支持用ＰＣａ柱部材及びＸ方向ＰＣａ順梁部材を示した斜視図である。
【図４】両梁支持用ＰＣａ柱部材の柱頭と、この柱頭に載置されたＰＣａ逆梁部材とを示した断面側面図である。
【図５】図４と同じ断面側面図であるが、ただし、接合のために硬化性充填材を注入しているときの状態を示した図である。
【図６】２本の両梁支持用ＰＣａ柱部材と、２本のＰＣａ逆梁部材とを、建方が完了したときのそれらの相対位置をもって示した、Ｙ方向から見た立面図である。
【符号の説明】
【００３７】
１０……Ｙ方向ＰＣａ順梁部材、１２……両梁支持用ＰＣａ柱部材、１４……順梁支持用ＰＣａ柱部材、１６……ＰＣａ逆梁部材、１８……Ｘ方向ＰＣａ順梁部材、２２ａ……梁上端主筋、２２ｂ……梁下端主筋、２６……柱主筋、２８……梁下端主筋、３２……柱主筋、３６……柱梁接合部、３８…逆梁半体部、４２ａ……梁上端主筋、４２ｂ……梁下端主筋、５０……柱主筋挿通孔、５２……硬化性充填材注入孔、５４……柱梁接合部、５６……順梁半体部、６０ａ……梁上端主筋、６０ｂ……梁下端主筋、６２ａ……梁上端主筋、６２ｂ……梁下端主筋、６６……柱主筋挿通孔、６８……硬化性充填材注入孔、７０……目地空間。
【図１】
2006265933.tif 000003
【図２】
2006265933.tif 000004
【図３】
2006265933.tif 000005
【図４】
2006265933.tif 000006
【図５】
2006265933.tif 000007
【図６】
2006265933.tif 000008